(57)【特許請求の範囲】
【請求項１】
無線通信システムにおいてＵＥ（user equipment）が確認応答情報を送信する方法において、
それぞれが１つ以上のＣＢＧ（code block group）を含む２つのＴＢ（transmission block）をスケジュールする下りリンク制御情報を受信することと、
前記下りリンク制御情報に基づいて、第１ＴＢ及び第２ＴＢを含む前記２つのＴＢに対して下りリンクデータ受信を行うことと、
前記下りリンクデータ受信に応じて、前記第１ＴＢに対する第１ＡＣＫ（acknowledgement）情報及び前記第２ＴＢに対する第２ＡＣＫ情報に関するＣＢＧレベルＡＣＫ情報を送信することと、を含み、
前記ＵＥは、前記第１ＴＢに対する前記第１ＡＣＫ情報のペイロードサイズを、前記第２ＴＢに対する前記第２ＡＣＫ情報のペイロードサイズと同一になるように決定し、
前記下りリンク制御情報は、それぞれのＴＢの中の前記１つ以上のＣＢＧの中で送信されるそれぞれのＣＢＧを示すＣＢＧＴＩ（Code Block Group Transmission Indicator）を含む、方法。
【請求項２】
前記下りリンク制御情報は、対応するＴＢがＴＢレベル初期送信に対応するか、ＣＢＧレベル再送に対応するかを示す、それぞれのＴＢに対する第１情報を含む、請求項１に記載の方法。
【請求項３】
前記２つのＴＢに対してＡＣＫバンドリングが設定されるとき、前記ＣＢＧレベルＡＣＫ情報は、前記第１ＴＢに含まれるそれぞれのＣＢＧに対する前記第１ＡＣＫ情報と、前記第２ＴＢに含まれるそれぞれのＣＢＧに対する前記第２ＡＣＫ情報とをそれぞれバンドリングすることによって生成される、請求項１に記載の方法。
【請求項４】
前記ＣＢＧＴＩは、ビットマップであり、
前記ビットマップのサイズは、１−ＴＢ毎のＣＢＧの最大数に基づいて決定される、請求項１に記載の方法。
【請求項５】
無線通信システムにおいて基地局がＵＥ（user equipment）から確認応答情報を受信する方法において、
それぞれが１つ以上のＣＢＧ（code block group）を含む２つのＴＢ（transmission block）をスケジュールする下りリンク制御情報を送信することと、
前記下りリンク制御情報に基づいて、第１ＴＢ及び第２ＴＢを含む前記２つのＴＢに対して下りリンクデータ送信を行うことと、
前記第１ＴＢに対する第１ＡＣＫ（acknowledgement）情報及び前記第２ＴＢに対する第２ＡＣＫ情報に関するＣＢＧレベルＡＣＫ情報を受信することと、を含み、
前記第１ＴＢに対する前記第１ＡＣＫ情報のペイロードサイズは、前記第２ＴＢに対する前記第２ＡＣＫ情報のペイロードサイズと同一であり、
前記下りリンク制御情報は、それぞれのＴＢの中の前記１つ以上のＣＢＧの中で送信されるそれぞれのＣＢＧを示すＣＢＧＴＩ（Code Block Group Transmission Indicator）を含む、方法。
【請求項６】
無線通信システムにおいて確認応答情報を送信する端末において、
送信部と、
受信部と、
前記送信部及び前記受信部に連結されたプロセッサと、を含み、
前記プロセッサは、
それぞれが１つ以上のＣＢＧ（code block group）を含む２つのＴＢ（transmission block）をスケジュールする下りリンク制御情報を受信し、
前記下りリンク制御情報に基づいて、第１ＴＢ及び第２ＴＢを含む前記２つのＴＢに対して下りリンクデータ受信を行い、
前記下りリンクデータ受信に応じて、前記第１ＴＢに対する第１ＡＣＫ（acknowledgement）情報及び前記第２ＴＢに対する第２ＡＣＫ情報に関するＣＢＧレベルＡＣＫ情報を送信するように構成され、
前記プロセッサは、前記第１ＴＢに対する前記第１ＡＣＫ情報のペイロードサイズを、前記第２ＴＢに対する前記第２ＡＣＫ情報のペイロードサイズと同一になるように決定し、
前記下りリンク制御情報は、それぞれのＴＢの中の前記１つ以上のＣＢＧの中で送信されるそれぞれのＣＢＧを示すＣＢＧＴＩ（Code Block Group Transmission Indicator）を含む、端末。
【請求項７】
無線通信システムにおいて端末から確認応答情報を受信する基地局において、
送信部と、
受信部と、
前記送信部及び前記受信部に連結されたプロセッサと、を含み、
前記プロセッサは、
それぞれが１つ以上のＣＢＧ（code block group）を含む２つのＴＢ（transmission block）をスケジュールする下りリンク制御情報を送信し、
前記下りリンク制御情報に基づいて、第１ＴＢ及び第２ＴＢを含む前記２つのＴＢに対して下りリンクデータ送信を行い、
前記第１ＴＢに対する第１ＡＣＫ（acknowledgement）情報及び前記第２ＴＢに対する第２ＡＣＫ情報に関するＣＢＧレベルＡＣＫ情報を受信するように構成され、
前記第１ＴＢに対する前記第１ＡＣＫ情報のペイロードサイズは、前記第２ＴＢに対する前記第２ＡＣＫ情報のペイロードサイズと同一であり、
前記下りリンク制御情報は、それぞれのＴＢの中の前記１つ以上のＣＢＧの中で送信されるそれぞれのＣＢＧを示すＣＢＧＴＩ（Code Block Group Transmission Indicator）を含む、基地局。
【請求項８】
請求項１に係る方法を実行するためのプログラムコードが記録された、プロセッサ読み取り可能な媒体。
【発明の詳細な説明】
【技術分野】
【０００１】
以下の説明は無線通信システムに関し、無線通信システムにおいて端末が確認応答情報を送信する方法及びそれを支援する装置に関する。
【０００２】
特に、以下の説明は、端末が１つ以上のスロットで受信されたデータに対してコードブロックグループ（Ｃｏｄｅ  Ｂｌｏｃｋ  Ｇｒｏｕｐ；ＣＢＧ）ごとに確認応答情報を送信する方法に関する説明を含む。
【背景技術】
【０００３】
無線アクセスシステムが音声やデータなどの種々の通信サービスを提供するために広範囲に展開されている。一般に、無線アクセスシステムは利用可能なシステムリソース（帯域幅、送信電力など）を共有して複数のユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００４】
なお、多数の通信機器がより大きな通信容量を要求することにより、既存のＲＡＴ（ｒａｄｉｏ  ａｃｃｅｓｓ  ｔｅｃｈｎｏｌｏｇｙ）に比べて向上したモバイルブロードバンド通信の必要性が高まっている。また、多数の機器及び物を連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考えられている。さらに信頼性及び遅延などに敏感なサービス／ＵＥを考慮した通信システムのデザインも考えられている。
【０００５】
このように向上したモバイルブロードバンド通信、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されている。
【発明の概要】
【発明が解決しようとする課題】
【０００６】
本発明の目的は、無線通信システムにおいて端末の確認応答情報送信方法及びそれを支援する装置を提供することにある。
【０００７】
特に、本発明は、端末が１つ以上のスロットで受信されたデータに対してコードブロックグループ（Ｃｏｄｅ  Ｂｌｏｃｋ  Ｇｒｏｕｐ；ＣＢＧ）ごとに確認応答情報を送信する具体的な方法を提供することを目的とする。
【０００８】
本発明で遂げようとする技術的目的は、以上で言及した事項に制限されず、言及していない他の技術的課題は、以下に説明する本発明の実施例から、本発明の属する技術の分野における通常の知識を有する者によって考慮されてもよい。
【課題を解決するための手段】
【０００９】
本発明は、無線通信システムにおいて端末が確認応答情報を送信する方法及びそれを支援する装置を提供する。
【００１０】
本発明の一態様として、無線通信システムにおいて端末の確認応答情報送信方法において、１つ以上のスロットでデータを受信することと、第１スロットで送信する確認応答情報として１つ以上のスロットで受信されたデータに含まれたコードブロックグループ（Ｃｏｄｅ  Ｂｌｏｃｋ  Ｇｒｏｕｐ；ＣＢＧ）ごとに確認応答情報を生成し、該生成された確認応答情報を第１スロットで送信することと、を含む、端末の確認応答情報送信方法を提案する。
【００１１】
本発明の他の態様として、無線通信システムにおいて基地局に確認応答情報を送信する端末において、送信部と、受信部と、送信部及び受信部に連結されて動作するプロセッサと、を含み、該プロセッサは、１つ以上のスロットでデータを受信し、第１スロットで送信する確認応答情報として１つ以上のスロットで受信されたデータに含まれたコードブロックグループ（Ｃｏｄｅ  Ｂｌｏｃｋ  Ｇｒｏｕｐ；ＣＢＧ）ごとに確認応答情報を生成し、該生成された確認応答情報を第１スロットで送信するように構成される、端末を提案する。
【００１２】
上記構成において、確認応答情報は、以下のビットサイズのうちの１つを有するように設定される。この時、Ｎ、Ｍ、Ｋ、Ｘ、Ｙは自然数の値が適用される。
【００１３】
（１）第１スロットにおける確認応答情報送信タイミングに連動する最大のスロット数（Ｎ）及び１つのスロットに対する最大のコードブロックグループ（Ｃｏｄｅ  Ｂｌｏｃｋ  Ｇｒｏｕｐ；ＣＢＧ）数（Ｍ）に基づいて決定される第１ビットサイズ、
【００１４】
（２）第１スロットにおける確認応答情報に対して設定されたスロット数（Ｋ）及び１つのスロットに対する最大のＣＢＧ数（Ｍ）に基づいて決定される第２ビットサイズ、
【００１５】
（３）１つ以上のスロットで送信された全ＣＢＧ数（Ｘ）に基づいて決定される第３ビットサイズ、又は
【００１６】
（４）第１スロットにおける確認応答情報に対して設定されたスロット数（Ｋ）及び１つ以上のスロットのうちの１つのスロットで送信された最大のＣＢＧ数（Ｙ）に基づいて決定される第４ビットサイズ、
【００１７】
ここで、第１ビットサイズは、Ｎ＊Ｍビットサイズである。
【００１８】
この時、Ｎ＊Ｍビットサイズの確認応答情報は、Ｎ個のスロットごとのＭ個のＣＢＧに対するビット情報で構成できる。ここで、Ｎ個のスロットのうち、特定のスロットでデータがスケジュールされないか、又はデータが受信されない場合、特定のスロットに対するスロットのＭ個のビット情報はいずれもＮＡＣＫ（Ｎｏｎ−Ａｃｋｎｏｗｌｅｄｇｅｍｅｎｔ）と設定され、Ｎ個のスロットのうちの特定のスロットでデータが受信されるが、受信されたＣＢＧ数がＭ個未満である場合、特定のスロットに対するＭ個のビット情報のうち、対応するＣＢＧがないビット情報はいずれもＮＡＣＫと設定される。
【００１９】
一例として、Ｎの値は４と設定される。
【００２０】
この時、Ｋの値は、Ｎの値より小さく設定される。
【００２１】
ここで、第２ビットサイズは、Ｋ＊Ｍビットサイズである。
【００２２】
この時、Ｋ＊Ｍビットサイズの確認応答情報は、Ｋ個のスロットごとのＭ個のＣＢＧに対するビット情報で構成できる。ここで、１つ以上のスロットで受信された下りリンク割り当てインデックス（Ｄｏｗｎｌｉｎｋ  Ａｓｓｉｇｎｍｅｎｔ  Ｉｎｄｅｘ；ＤＡＩ）の値に基づいて、Ｋ個のスロットのうち、特定のスロットでデータがスケジュールされない、又は、データが受信されない場合、特定のスロットに対するスロットのＭ個のビット情報はいずれもＮＡＣＫ（Ｎｏｎ−Ａｃｋｎｏｗｌｅｄｇｅｍｅｎｔ）と設定され、Ｋ個のスロットのうち、特定のスロットでデータが受信されるが、受信されたＣＢＧ数がＭ個未満である場合、特定のスロットに対するＭ個のビット情報のうち、対応するＣＢＧがないビット情報はいずれもＮＡＣＫと設定される。
【００２３】
この場合、１つ以上のスロットで受信される各ＤＡＩは、時間ドメインで対応するスロットまで第１スロットにおける確認応答情報に対してスケジュールされたスロット数を指示することができる。
【００２４】
上述した構成において、Ｍの値は、端末特定に設定される、又は、端末が含まれたグループ共通に設定される。
【００２５】
ここで、第３ビットサイズは、Ｘビットサイズである。
【００２６】
この時、Ｘの値は、１つ以上のスロットで受信された全下りリンク割り当てインデックス（Ｔｏｔａｌ  Ｄｏｗｎｌｉｎｋ  Ａｓｓｉｇｎｍｅｎｔ  Ｉｎｄｅｘ；Ｔ−ＤＡＩ）の値に基づいて決定される。また１つ以上のスロットで受信される各カウンターＤＡＩ（ｃｏｕｎｔｅｒ  ＤＡＩ；Ｃ−ＤＡＩ）の値に基づいて、Ｘビットサイズの確認応答情報のうち、対応するＣＢＧが受信されないビット情報は、ＮＡＣＫ（Ｎｏｎ−Ａｃｋｎｏｗｌｅｄｇｅｍｅｎｔ）と設定される。
【００２７】
ここで、第４ビットサイズは、Ｋ＊Ｙビットサイズである。
【００２８】
この時、１つ以上のスロットのうちの最後のスロットで受信された下りリンク割り当てインデックス（Ｄｏｗｎｌｉｎｋ  Ａｓｓｉｇｎｍｅｎｔ  Ｉｎｄｅｘ；ＤＡＩ）の値に基づいて、Ｋ＊Ｙビットサイズの確認応答情報のうち、対応するＣＢＧが存在しないビット情報は、ＮＡＣＫ（Ｎｏｎ−Ａｃｋｎｏｗｌｅｄｇｅｍｅｎｔ）と設定される。
【００２９】
上述した本発明の態様は、本発明の好適な実施例の一部に過ぎず、本願発明の技術的特徴が反映された様々な実施例が、当該技術の分野における通常の知識を有する者によって、以下に詳述する本発明の詳細な説明に基づいて導出され、理解されるであろう。
【発明の効果】
【００３０】
本発明の実施例によれば、次のような効果がある。
【００３１】
本発明によれば、端末は１つ以上のスロットで受信されたデータに含まれたＣＢＧごとの確認応答情報を様々な実施例によって生成して送信することができる。
【００３２】
本発明の実施例から得られる効果は、以上で言及した効果に限定されず、言及していない他の効果は、以下の本発明の実施例に関する記載から、本発明の属する技術の分野における通常の知識を有する者によって明確に導出され理解されるであろう。即ち、本発明を実施することに伴う意図していない効果も、本発明の実施例から当該技術の分野における通常の知識を有する者によって導出され得る。
【図面の簡単な説明】
【００３３】
以下に添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ  ｎｕｍｅｒａｌｓ）は構造的構成要素（ｓｔｒｕｃｔｕｒａｌ  ｅｌｅｍｅｎｔｓ）を意味する。
【図１】物理チャネル及びそれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ  ｓｕｂｆｒａｍｅ  ｓｔｒｕｃｔｕｒｅ）を示す図である。
【図７】ＴＸＲＵとアンテナ要素の代表的な連結方式を示す図である。
【図８】ＴＸＲＵとアンテナ要素の代表的な連結方式を示す図である。
【図９】本発明の一例によるＴＸＲＵ及び物理的アンテナの観点におけるハイブリッドビームフォーミング構造を簡単に示す図である。
【図１０】本発明の一例による下りリンク（Ｄｏｗｎｌｉｎｋ、ＤＬ）の送信過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスウィーピング（Ｂｅａｍ  ｓｗｅｅｐｉｎｇ）動作を簡単に示す図である。
【図１１】本発明に適用可能なＨＡＲＱ  ＡＣＫの送信方法を簡単に示す図である。
【図１２】キャリアアグリゲーション（Ｃａｒｒｉｅｒ  Ａｇｇｒｅｇａｔｉｏｎ，ＣＡ）環境下で複数のコンポーネントキャリア（Ｃｏｍｐｏｎｅｎｔ  Ｃａｒｒｉｅｒ，ＣＣ）で送信されたＤＬデータに対応するＨＡＲＱ−ＡＣＫ情報の送信動作を簡単に示す図である。
【図１３】本発明の第１−１ＨＡＲＱ  ＡＣＫ送信方法による動作を簡単に示す図である。
【図１４】本発明の第１−２ＨＡＲＱ  ＡＣＫ送信方法による動作を簡単に示す図である。
【図１５】本発明の第１−３ＨＡＲＱ  ＡＣＫ送信方法による動作を簡単に示す図である。
【図１６】本発明の第１−４ＨＡＲＱ  ＡＣＫ送信方法による動作を簡単に示す図である。
【図１７】本発明の一例による端末の確認応答情報の送信方法を示す流れ図である。
【図１８】提案する実施例を具体的に実現できる端末及び基地局の構成を示す図である。
【発明を実施するための形態】
【００３４】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００３５】
図面に関する説明において、本発明の要旨を曖昧にさせ得る手順又は段階などは記述を省略し、当業者のレベルで理解可能な程度の手順又は段階も記述を省略する。
【００３６】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具体的に実現することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３７】
この明細書において本発明の実施例は基地局と移動局の間のデータ送受信関係を中心に説明されている。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００３８】
即ち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に言い換えることができる。
【００３９】
また、本発明の実施例において、端末（Ｔｅｒｍｉｎａｌ）は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に言い換えることができる。
【００４０】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００４１】
本発明の実施例は、無線アクセスシステムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００４２】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００４３】
また、本発明の実施例で使われる特定の用語は本発明の理解し易さのために提供されるものであり、このような特定の用語の使用は本発明の技術的思想を逸脱しない範囲で他の形態に変更されてもよい。
【００４４】
例えば、送信機会区間（ＴｘＯＰ：Ｔｒａｎｓｍｉｓｓｉｏｎ  Ｏｐｐｏｒｔｕｎｉｔｙ  Ｐｅｒｉｏｄ）という用語は、送信区間、送信バースト（Ｔｘ  ｂｕｒｓｔ）又はＲＲＰ（Ｒｅｓｅｒｖｅｄ  Ｒｅｓｏｕｒｃｅ  Ｐｅｒｉｏｄ）という用語と同じ意味で使うことができる。また、ＬＢＴ（Ｌｉｓｔｅｎ  Ｂｅｆｏｒｅ  Ｔａｌｋ）過程は、チャネル状態が遊休であるか否かを判断するためのキャリアセンシング過程、ＣＣＡ（Ｃｌｅａｒ  Ｃｈａｎｎｅｌ  Ａｃｃｅｓｓｍｅｎｔ）、チャネル接続過程（ＣＡＰ：Ｃｈａｎｎｅｌ  Ａｃｃｅｓｓ  Ｐｒｏｃｅｄｕｒｅ）と同じ目的で行うことができる。
【００４５】
以下、本発明の実施例を利用可能な無線アクセスシステムの一例として３ＧＰＰ  ＬＴＥ／ＬＴＥ−Ａシステムについて説明する。
【００４６】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線アクセスシステムに適用することができる。
【００４７】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具体的に実現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具体的に実現することができる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具体的に実現することができる。
【００４８】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ  ＬＴＥシステムを改良したシステムである。本発明の技術的特徴に関する説明を明確にするために、本発明の実施例は３ＧＰＰ  ＬＴＥ／ＬＴＥ−Ａシステムを中心に述べられるが、ＩＥＥＥ  ８０２．１６ｅ／ｍシステムなどに適用されてもよい。
【００４９】
１．３ＧＰＰ  ＬＴＥ／ＬＴＥ  Ａシステム
【００５０】
１．１．物理チャネル及びこれを用いた信号送受信方法
【００５１】
無線アクセスシステムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャネルが存在する。
【００５２】
図１は、本発明の実施例で使用可能な物理チャネル及びそれらを用いた信号送信方法を説明するための図である。
【００５３】
電源が消えた状態で電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局から主同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び副同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００５４】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００５５】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００５６】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に対応する物理下りリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【００５７】
その後、端末は基地局への接続を完了するために、段階Ｓ１３〜段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ１３）、物理下りリンク制御チャネル及びそれに対応する物理下りリンク共有チャネルでプリアンブルに対する応答メッセージを受信することができる（Ｓ１４）。競合ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５８】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５９】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００６０】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００６１】
１．２．リソースの構造
【００６２】
図２は、本発明の実施例で用いられる無線フレームの構造を示す図である。
【００６３】
図２（ａ）にはタイプ１フレーム構造（ｆｒａｍｅ  ｓｔｒｕｃｔｕｒｅ  ｔｙｐｅ１）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも半二重（ｈａｌｆ  ｄｕｐｌｅｘ）ＦＤＤシステムにも適用可能である。
【００６４】
１無線フレーム（ｒａｄｉｏ  ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム（ｒａｄｉｏ  ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００６５】
１スロットは時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは下りリンクにおいてＯＦＤＭＡを用いるので、ＯＦＤＭシンボルは１シンボル区間（ｓｙｍｂｏｌ  ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ  ｂｌｏｃｋ）はリソース割り当て単位であり、１つのスロットで複数の連続した副搬送波（ｓｕｂｃａｒｒｉｅｒ）を含む。
【００６６】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００６７】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６８】
図２（ｂ）にはタイプ２フレーム構造（ｆｒａｍｅ  ｓｔｒｕｃｔｕｒｅ  ｔｙｐｅ２）を示す。タイプ２フレーム構造はＴＤＤシステムに適用される。１無線フレーム（ｒａｄｉｏ  ｆｒａｍｅ）はＴｆ＝３０７２００＊Ｔｓ＝１０ｍｓの長さを有し、１５３６００＊Ｔｓ＝５ｍｓの長さを有する２個のハーフフレーム（ｈａｌｆ−ｆｒａｍｅ）で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６９】
タイプ２フレームにはＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別なサブフレームを含む。ここで、ＤｗＰＴＳは、端末における初期セル探索、同期化又はチャネル推定に用いられる。ＵｐＰＴＳは、基地局におけるチャネル推定と端末との上り伝送同期化に用いられる。保護区間は、上りリンクと下りリンクとの間に下りリンク信号の多重経路遅延によって上りリンクにおいて干渉を除去するための区間である。
【００７０】
次の表１は、特別フレームの構成（ＤｗＰＴＳ／ＧＰ／ＵｐＰＴＳの長さ）を表す。
【００７１】
【表１】
0006928091.tif 000002
【００７２】
またＬＴＥ  Ｒｅｌ−１３システムにおいては、特別なフレームの構成（ＤｗＰＴＳ／ＧＰ／ＵｐＰＴＳの長さ）が下記の表のようにＸ（追加的なＳＣ−ＦＤＭＡのシンボルの数、上位層パラメータｓｒｓ−ＵｐＰｔｓＡｄｄにより提供され、パラメータが設定されないと、Ｘは０である）を考慮して設定される構成が新しく追加されており、ＬＴＥ  Ｒｅｌ−１４システムにおいては、Ｓｐｅｃｉａｌ  ｓｕｂｆｒａｍｅ  ｃｏｎｆｉｇｕｒａｔｉｏｎ＃１０が新しく追加されている。ここで、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛３，４，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛２，３，５，６｝に対して２つの追加ＵｐＰＴＳ  ＳＣ−ＦＤＭＡシンボルが設定されることを期待しない。さらに、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛１，２，３，４，６，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛１，２，３，５，６｝に対して４つの追加ＵｐＰＴＳ  ＳＣ−ＦＤＭＡシンボルが設定されることを期待しない。（Ｔｈｅ  ＵＥ  ｉｓ  ｎｏｔ  ｅｘｐｅｃｔｅｄ  ｔｏ  ｂｅ  ｃｏｎｆｉｇｕｒｅｄ  ｗｉｔｈ  ２  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛３，４，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ  ａｎｄ  ４  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛１，２，３，４，６，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛１，２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ）
【００７３】
【表２】
0006928091.tif 000003
【００７４】
図３は、本発明の実施例で利用可能な下りリンクスロットに対するリソースグリッド（ｒｅｓｏｕｒｃｅ  ｇｒｉｄ）を例示する図である。
【００７５】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００７６】
リソースグリッド上で各要素（ｅｌｅｍｅｎｔ）をリソース要素（ｒｅｓｏｕｒｃｅ  ｅｌｅｍｅｎｔ）といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。
【００７７】
図４には、本発明の実施例で利用可能な上りリンクサブフレームの構造を示す。
【００７８】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界（ｓｌｏｔ  ｂｏｕｎｄａｒｙ）で周波数ホッピング（ｆｒｅｑｕｅｎｃｙ  ｈｏｐｐｉｎｇ）する、という。
【００７９】
図５は、本発明の実施例で利用可能な下りリンクサブフレームの構造を示す図である。
【００８０】
図５を参照すると、サブフレームにおける一番目のスロットにおいてＯＦＤＭシンボルインデックス０から最大で３個までのＯＦＤＭシンボルが、制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられる下りリンク制御チャネルの例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００８１】
ＰＣＦＩＣＨはサブフレームの一番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００８２】
２．新しい無線アクセス技術（Ｎｅｗ  Ｒａｄｉｏ  Ａｃｃｅｓｓ  Ｔｅｃｈｎｏｌｏｇｙ）システム
【００８３】
多数の通信機器がより大きな通信容量を要求することにより、既存の無線アクセス技術（ｒａｄｉｏ  ａｃｃｅｓｓ  ｔｅｃｈｎｏｌｏｇｙ、ＲＡＴ）に比べて向上した端末広帯域（Ｍｏｂｉｌｅ  Ｂｒｏａｄｂａｎｄ）通信の必要性が高まっている。また多数の機器及び物を連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）も必要となっている。さらに信頼性及び遅延などに敏感なサービス／ＵＥを考慮した通信システムのデザインが提示されている。
【００８４】
このように向上した端末広帯域通信（Ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｌｂｅ  ａｎｄ  Ｌｏｗ  Ｌａｔｅｎｃｙ  Ｃｏｍｍｕｎｉｃａｔｉｏｎ）などを考慮した新しい無線アクセス技術であって、新しい無線アクセス技術システムが提案されている。以下、本発明では便宜上、該当技術をＮｅｗ  ＲＡＴ又はＮＲ（Ｎｅｗ  Ｒａｄｉｏ）と称する。
【００８５】
２．１．ニューマロロジー（Ｎｕｍｅｒｉｏｌｏｇｉｅｓ）
【００８６】
本発明が適用可能なＮＲシステムにおいては、以下の表のような様々なＯＦＤＭニューマロロジーが支援されている。この時、搬送波帯域幅部分（ｃａｒｒｉｅｒ  ｂａｎｄｗｉｄｔｈ  ｐａｒｔ）ごとのμ及びサイクリックプレフィックス（ｃｙｃｌｉｃ  ｐｒｅｆｉｘ）情報は、下りリンク（ＤＬ）又は上りリンク（ＵＬ）ごとに各々シグナリングされる。一例として、下りリンク搬送波帯域幅部分（ｄｏｗｎｌｉｎｋ  ｃａｒｒｉｅｒ  ｂａｎｄｗｉｄｔｈ  ｐａｒｔ）のためのμ及びサイクリックプレフィックス（ｃｙｃｌｉｃ  ｐｒｅｆｉｘ）情報は、上位層シグナリングＤＬ−ＢＷＰ−ｍｕ及びＤＬ−ＭＷＰ−ｃｐを通じてシグナリングされる。他の例として、上りリンク搬送波帯域幅部分（ｕｐｌｉｎｋ  ｃａｒｒｉｅｒ  ｂａｎｄｗｉｄｔｈ  ｐａｒｔ）のためのμ及びサイクリックプレフィックス（ｃｙｃｌｉｃ  ｐｒｅｆｉｘ）情報は、上位層シグナリングＵＬ−ＢＷＰ−ｍｕ及びＵＬ−ＭＷＰ−ｃｐを通じてシグナリングされる。
【００８７】
【表３】
0006928091.tif 000004
【００８８】
２．２．フレーム構造
【００８９】
下りリンク及び上りリンクの伝送は１０ｍｓ長さのフレームで構成される。フレームは１ｍｓ長さの１０個のサブフレームで構成される。この時、各々のサブフレームごとに連続するＯＦＤＭのシンボルの数は
0006928091.tif 000005
である。
【００９０】
各々のフレームは２つの同じサイズのハーフフレーム（ｈａｌｆ−ｆｒａｍｅ）で構成される。この時、各々のハーフフレームはサブフレーム０−４及びサブフレーム５−９で構成される。
【００９１】
副搬送波間隔（ｓｕｂｃａｒｒｉｅｒ  ｓｐａｃｉｎｇ）μに対して、スロットは１つのサブフレーム内において昇順に
0006928091.tif 000006
のようにナンバリングされ、１つのフレーム内において昇順に
0006928091.tif 000007
のようにナンバリングされる。この時、１つのスロット内に連続するＯＦＤＭのシンボルの数
0006928091.tif 000008
は、サイクリックプレフィックスによって以下の表のように決定される。１つのサブフレーム内の開始スロット
0006928091.tif 000009
は、同じサブフレーム内の開始ＯＦＤＭのシンボル
0006928091.tif 000010
と時間の次元で整列されている（ａｌｉｇｎｅｄ）。以下の表４は一般サイクリックプレフィックス（ｎｏｒｍａｌ  ｃｙｃｌｉｃ  ｐｒｅｆｉｘ）のためのスロットごと／フレームごと／サブフレームごとのＯＦＤＭのシンボルの数を示し、表５は拡張されたサイクリックプレフィックス（ｅｘｔｅｎｄｅｄ  ｃｙｃｌｉｃ  ｐｒｅｆｉｘ）のためのスロットごと／フレームごと／サブフレームごとのＯＦＤＭのシンボルの数を示す。
【００９２】
【表４】
0006928091.tif 000011
【００９３】
【表５】
0006928091.tif 000012
【００９４】
本発明が適用可能なＮＲシステムにおいては、上記のようなスロット構造であって、セルフスロット構造（Ｓｅｌｆ−Ｃｏｎｔａｉｎｅｄ  ｓｕｂｆｒａｍｅ  ｓｔｒｕｃｔｕｒｅ）が適用されている。
【００９５】
図６は本発明に適用可能なセルフサブフレーム構造（Ｓｅｌｆ−Ｃｏｎｔａｉｎｅｄ  ｓｕｂｆｒａｍｅ  ｓｔｒｕｃｔｕｒｅ）を示す図である。
【００９６】
図６において、斜線領域（例えば、ｓｙｍｂｏｌ  ｉｎｄｅｘ＝０）は下りリンク制御（ｄｏｗｎｌｉｎｋ  ｃｏｎｔｒｏｌ）領域を示し、黒色領域（例えば、ｓｙｍｂｏｌ  ｉｎｄｅｘ＝１３）は上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は下りリンクデータ伝送又は上りリンクデータ伝送のために使用される。
【００９７】
このような構造により基地局及びＵＥは１つのスロット内でＤＬ伝送とＵＬ伝送を順次に行うことができ、１つのスロット内でＤＬデータを送受信し、これに対するＵＬ  ＡＣＫ／ＮＡＣＫも送受信することができる。結果として、この構造ではデータ伝送エラーの発生時にデータの再伝送までにかかる時間を短縮させることにより、最終データ伝達の遅延を最小化することができる。
【００９８】
このようなセルフスロット構造においては、基地局とＵＥが送信モードから受信モードに、又は受信モードから送信モードに転換するために一定の時間長さのタイムギャップ（ｔｉｍｅ  ｇａｐ）が必要である。このために、セルフスロット構造においてＤＬからＵＬに転換される時点の一部ＯＦＤＭシンボルは、ガード区間（ｇｕａｒｄ  ｐｅｒｉｏｄ、ＧＰ）として設定されることができる。
【００９９】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１００】
一例として、スロットは様々なスロットフォーマットを有することができる。この時、各々のスロットのＯＦＤＭシンボルは下りリンク（‘Ｄ’と表す）、フレキシブル（‘Ｘ’と表す）及び上りリンク（‘Ｕ’と表す）に分類される。
【０１０１】
従って、下りリンクスロットにおいてＵＥは下りリンク伝送が‘Ｄ’及び‘Ｘ’のシンボルでのみ発生すると仮定できる。同様に、上りリンクスロットにおいてＵＥは上りリンク伝送が‘Ｕ’及び‘Ｘ’のシンボルでのみ発生すると仮定できる。
【０１０２】
２．３．アナログビームフォーミング（Ａｎａｌｏｇ  Ｂｅａｍｆｏｒｍｉｎｇ）
【０１０３】
ミリ波（Ｍｉｌｌｉｍｅｔｅｒ  Ｗａｖｅ、ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネルに０．５ｌａｍｂｄａ（波長）間隔で２次元（２−ｄｉｍｅｎｓｉｏｎ）配列する場合、全１００個のアンテナ要素を設けることができる。これにより、ミリ波（ｍｍＷ）では多数のアンテナ要素を使用してビームフォーミング（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１０４】
この時、アンテナ要素ごとに伝送パワー及び位相の調節ができるように、各々のアンテナ要素はＴＸＲＵ（ｔｒａｎｓｃｅｉｖｅｒ）を含む。これにより、各々のアンテナ要素は周波数リソースごとに独立的なビームフォーミングを行うことができる。
【０１０５】
しかし、１００個以上の全てのアンテナ要素にＴＸＲＵを設けることは費用面で実効性が乏しい。従って、１つのＴＸＲＵに多数のアンテナ要素をマッピングし、アナログ位相シフター（ａｎａｌｏｇ  ｐｈａｓｅ  ｓｈｉｆｔｅｒ）でビーム方向を調節する方式が考えられている。かかるアナログビームフォーミング方式では全帯域において１つのビーム方向のみを形成できるので、周波数選択的なビームフォーミングが難しいという短所がある。
【０１０６】
これを解決するために、デジタルビームフォーミング及びアナログビームフォーミングの中間形態として、Ｑ個のアンテナ要素より少ない数のＢ個のＴＸＲＵを有するハイブリッドビームフォーミング（ｈｙｂｒｉｄ  ＢＦ）が考えられる。この場合、Ｂ個のＴＸＲＵとＱ個のアンテナ要素の連結方式によって差はあるが、同時に伝送可能なビームの方向はＢ個以下に制限される。
【０１０７】
図７及び図８は、ＴＸＲＵとアンテナ要素（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【０１０８】
図７はＴＸＲＵがサブアレイ（ｓｕｂ−ａｒｒａｙ）に連結された方式を示している。図７の場合、アンテナ要素は１つのＴＸＲＵのみに連結される。
【０１０９】
反面、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図８に示したように、別の加算器が必要である。
【０１１０】
図７及び図８において、Ｗはアナログ位相シフター（ａｎａｌｏｇ  ｐｈａｓｅ  ｓｈｉｆｔｅｒ）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは１：１又は１：多である。
【０１１１】
図７の構成によれば、ビームフォーミングのフォーカシングが難しいという短所があるが、全てのアンテナ構成を低価で構成できるという長所がある。
【０１１２】
図８の構成によれば、ビームフォーミングのフォーカシングが容易であるという長所がある。但し、全てのアンテナ要素にＴＸＲＵが連結されるので、全体の費用が増加するという短所がある。
【０１１３】
本発明が適用可能なＮＲシステムにおいて、複数のアンテナが使用される場合、デジタルビームフォーミング（Ｄｉｇｉｔａｌ  ｂｅａｍｆｏｒｍｉｎｇ）及びアナログビームフォーミングを結合したハイブリッドビームフォーミング（ｈｙｂｒｉｄ  ｂｅａｍｆｏｒｍｉｎｇ）方式が適用される。この時、アナログビームフォーミング（又はＲＦ（ｒａｄｉｏ  ｆｒｅｑｕｅｎｃｙ）ビームフォーミング）は、ＲＦ端でプリコーディング（又は組み合わせ（ｃｏｍｂｉｎｉｎｇ））を行う動作を意味する。またハイブリッドビームフォーミングにおいて、ベースバンド（ｂａｓｅｂａｎｄ）端とＲＦ端は各々プリコーティング（又は組み合わせ）を行う。これによりＲＦチェーンの数とＤ／Ａ（Ｄｉｇｉｔａｌ  ｔｏ  ａｎａｌｏｇ）（又はＡ／Ｄ（ａｎａｌｏｇ  ｔｏ  ｄｉｇｉｔａｌ））  コンバーターの数を減らしながらデジタルビームフォーミングに近接する性能を得られるという長所がある。
【０１１４】
説明の便宜上、ハイブリッドビームフォーミングの構造は、Ｎ個の送受信端（ｔｒａｎｓｃｅｉｖｅｒ  ｕｎｉｔ、ＴＸＲＵ）とＭ個の物理的アンテナで表すことができる。この時、送信端から伝送するＬ個のデータ層（ｄｉｇｉｔａｌ  ｌａｙｅｒ）に対するデジタルビームフォーミングは、Ｎ＊Ｌ（Ｌ  ｂｙ  Ｌ）行列で表される。その後、変換されたＮ個のデジタル信号はＴＸＲＵを介してアナログ信号に変換され、変換された信号に対してＭ＊Ｎ（Ｍ  ｂｙ  Ｎ）行列で表されるアナログビームフォーミングが適用される。
【０１１５】
図９は、本発明の一例によるＴＸＲＵ及び物理的アンテナの観点におけるハイブリッドビームフォーミングの構造を簡単に示す図である。この時、図９においてデジタルビームの数はＬ個であり、アナログビームの数はＮ個である。
【０１１６】
さらに、本発明が適用可能なＮＲシステムにおいては、基地局がアナログビームフォーミングをシンボル単位で変更できるように設計して、所定の地域に位置した端末に効率的なビームフォーミングを支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビームフォーミングが適用可能な複数のアンテナパネルを導入する方法の案も考えられる。
【０１１７】
以上のように基地局が複数のアナログビームを活用する場合、端末ごとに信号の受信に有利なアナログビームが異なる。よって本発明が適用可能なＮＲシステムにおいては、基地局が所定のサブフレーム（ＳＦ）内でシンボルごとに異なるアナログビームを適用して（少なくとも同期信号、システム情報、ページング（ｐａｇｉｎｇ）など）信号を伝送することにより、全ての端末が受信機会を得るようにするビームスウィーピング（ｂｅａｍ  ｓｗｅｅｐｉｎｇ）動作が考えられている。
【０１１８】
図１０は本発明の一例による下りリンク（Ｄｏｗｎｌｉｎｋ、ＤＬ）伝送過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスウィーピング（Ｂｅａｍ  ｓｗｅｅｐｉｎｇ）動作を簡単に示す図である。
【０１１９】
図１０において、本発明が適用可能なＮＲシステムのシステム情報がブロードキャスティング（Ｂｒｏａｄｃａｓｔｉｎｇ）方式で伝送される物理的リソース（又は物理チャネル）を、ｘＰＢＣＨ（ｐｈｙｓｉｃａｌ  ｂｒｏａｄｃａｓｔ  ｃｈａｎｎｅｌ）と称する。この時、１つのシンボル内で互いに異なるアンテナパネルに属する複数のアナログビームは同時に伝送可能である。
【０１２０】
また図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Ｒｅｆｅｒｅｎｃｅ  ｓｉｇｎａｌ、ＲＳ）であるビーム参照信号（Ｂｅａｍ  ＲＳ、ＢＲＳ）の導入が論議されている。ＢＲＳは複数のアンテナポートに対して定義され、ＢＲＳの各々のアンテナポートは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１２１】
３．提案する実施例
【０１２２】
以下の説明では上記のような技術的思想に基づいて、本発明で提案する構成について詳しく説明する。
【０１２３】
従来、ＬＴＥシステムの場合、ＤＬデータのサイズ（即ち、ＴＢ（ｔｒａｎｓｍｉｓｓｉｏｎ  Ｂｌｏｃｋ）サイズ）が一定水準以上になると、ＰＤＳＣＨを介して送信されるビットストリームは複数のＣＢ（Ｃｏｄｅｗｏｒｄ  Ｂｌｏｃｋ）に分割され、各ＣＢごとにチャネルコーディング及びＣＲＣ（Ｃｙｃｌｉｃ  Ｒｅｄｕｎｄａｎｃｙ  Ｃｈｅｃｋ）が個々に印加されて送信される。
【０１２４】
この時、ＵＥは１つのＰＤＳＣＨに含まれた複数のＣＢのうち、１つでも受信（ｄｅｃｏｄｉｎｇ）に失敗すると、該当ＰＤＳＣＨに対応するＨＡＲＱ−ＡＣＫフィードバックがＮＡＣＫであるとｅＮＢ（又はｇＮＢ）に報告する。これに対応して、ｅＮＢ（又はｇＮＢ）はＮＡＣＫと報告された全てのＣＢをＵＥに再送信する。
【０１２５】
言い換えれば、従来のＬＴＥシステムにおけるＤＬデータに対するＨＡＲＱ動作は、ｅＮＢ（又はｇＮＢ）からのＴＢ単位のスケジューリング／送信及びに対応するＵＥからのＴＢ単位のＨＡＲＱ−ＡＣＫフィードバック構成に基づいて行われる構造を有する。
【０１２６】
反面、本発明が適用可能なＮＲシステムでは、基本的にＬＴＥシステムに比べて大きい（ｗｉｄｅｒ）システム（ｃａｒｒｉｅｒ）帯域幅を有する。これにより、（最大の）ＴＢサイズは従来のＬＴＥシステムで支援するＴＢサイズより大きくなる可能性が高い。これにより、１つのＴＢを構成するＣＢ数も従来のＬＴＥシステムで支援する１つのＴＢを構成するＣＢ数より多くなることができる。
【０１２７】
従って、もし上記のようなシステムでも従来のＬＴＥシステムのようにＴＢ単位のＨＡＲＱ−ＡＣＫフィードバックが行われる場合、一部少数のＣＢについてのみデコーディングエラー（ｄｅｃｏｄｉｎｇ  ｅｒｒｏｒ、即ち、ＮＡＣＫ）が発生した場合にもＴＢ単位の再送信スケジューリングが伴われる。これはリソース使用の効率性を低下させることができる。
【０１２８】
また本発明が適用可能なＮＲシステムでは、大きい時間区間（例：ＴＴＩ（ｔｒａｎｓｍｉｓｓｉｏｎ  Ｔｉｍｅ  Ｉｎｔｅｒｖａｌ）を有する遅延に敏感ではない（ｄｅｌａｙ−ｉｎｓｅｎｓｉｔｉｖｅ）第１データタイプ（例：ｅＭＢＢ（ｅｎｈａｎｃｅｄ  Ｍｏｂｉｌｅ  ＢｒｏａｄＢａｎｄ））送信に割り当てられたリソースの一部（例：シンボル）により、小さい時間区間（例：ＴＴＩ）を有する遅延に敏感な（ｄｅｌａｙ−ｓｅｎｓｉｔｉｖｅ）第２データタイプ（例：ＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ））が第１データタイプをパンクチャリングする形態で送信される動作が支援される。このような場合を含む時間選択的（ｔｉｍｅ−ｓｅｌｅｃｔｉｖｅ）特性を有する干渉信号の影響により、第１データタイプに対して１つのＴＢを構成する複数のＣＢのうち、特定の一部のＣＢにのみデコーディングエラー（ｄｅｃｏｄｉｎｇ  ｅｒｒｏｒ）が集中する現象が発生することができる。
【０１２９】
本発明では、上記のようなＮＲシステムの動作上の特性を考慮して、ＣＢ又はＣＢＧ（Ｃｏｄｅｗｏｒｄ  Ｂｌｏｃｋ  Ｇｒｏｕｐ）単位で（再送信）スケジューリングを行い、ＣＢ／ＣＢＧ単位でＨＡＲＱ−ＡＣＫフィードバックを構成／送信する方法を提案する。
【０１３０】
この時、１つのＤＬデータに対応するＨＡＲＱ−ＡＣＫの送信時点は予め設定されたセットのうちの１つの値に決定され、該１つの値はＤＬ割り当てを含むＤＣＩ（Ｄｏｗｎｌｉｎｋ  Ｃｏｎｔｒｏｌ  Ｉｎｆｏｒｍａｔｉｏｎ）により動的に指示されることができる。この場合、特定のスロット内で送信されるＨＡＲＱ−ＡＣＫ情報は、様々なスロット上に送信されるＤＬデータに対応することができる。
【０１３１】
図１１は本発明に適用可能なＨＡＲＱ  ＡＣＫの送信方法を簡単に示す図である。
【０１３２】
図１１に示したように、各スロットで送信されたＤＬデータに対する４つの候補ＨＡＲＱタイミングは、上位層シグナリングにより予め設定され、４つの候補ＨＡＲＱタイミングのうちの１つのＨＡＲＱタイミングは、動的な指示（ｄｙｎａｍｉｃ  Ｉｎｄｉｃａｔｉｏｎ）によりＨＡＲＱ−ＡＣＫ送信時点に指示される。
【０１３３】
一例として、ｓｌｏｔ＃Ｔに送信されるＤＬデータに対応して４つの候補ＨＡＲＱタイミング（例：ｓｌｏｔ＃Ｔ＋６、ｓｌｏｔ＃Ｔ＋７、ｓｌｏｔ＃Ｔ＋８、ｓｌｏｔ＃Ｔ＋９）が上位層シグナリングにより設定され、４つの候補ＨＡＲＱタイミングのうちの１つが動的な指示により指示される。
【０１３４】
これにより、１つのスロットにより複数のＤＬデータに対応するＨＡＲＱ−ＡＣＫが一緒に送信されることができる。一例として、ｓｌｏｔ＃Ｔ＋９でｓｌｏｔ＃Ｔ、ｓｌｏｔ＃Ｔ＋１、ｓｌｏｔ＃Ｔ＋２及びｓｌｏｔ＃Ｔ＋３のうちの１つ以上のスロットで送信されたＤＬデータに対応するＨＡＲＱ−ＡＣＫ情報が送信されることができる。以下、本発明では上記のような場合、端末のＨＡＲＱ−ＡＣＫ送信方法についてより詳しく説明する。
【０１３５】
図１２はキャリアアグリゲーション（Ｃａｒｒｉｅｒ  Ａｇｇｒｅｇａｔｉｏｎ、ＣＡ）環境下で複数のコンポーネントキャリア（Ｃｏｍｐｏｎｅｎｔ  Ｃａｒｒｉｅｒ、ＣＣ）で送信されたＤＬデータに対応するＨＡＲＱ−ＡＣＫ情報の送信動作を簡単に示す図である。
【０１３６】
図１２に示したように、ＣＡ環境でも複数のＣＣ上のＨＡＲＱ−ＡＣＫ情報が１つの特定のＣＣ上の特定のスロットで送信されることができる。以下、本発明では上記のような場合、端末のＨＡＲＱ−ＡＣＫ送信方法についてより詳しく説明する。
【０１３７】
さらに、ＭＩＭＯ（Ｍｕｌｔｉｐｌｅ  Ｉｎｐｕｔ  Ｍｕｌｔｉｐｌｅ  Ｏｕｔｐｕｔ）システムでは、２つ（以上）のＴＢが同時に送信可能である。以下、本発明では上記のような場合、端末のＣＢＧ基盤のＨＡＲＱ動作についてより詳しく説明する。
【０１３８】
本発明において、（単一のＴＢを構成する）全てのＣＢが１つのＣＢＧと設定されるか、又は（単一のＴＢを構成する）一部の複数ＣＢが１つのＣＢＧで構成されるか、又は１つのＣＢの各々が１つのＣＢＧで構成されることができる。
【０１３９】
３．１．動的なＨＡＲＱタイミング指示又はＣＡ環境におけるＣＢＧ基盤のＨＡＲＱ−ＡＣＫ送信方法
【０１４０】
３．１．１．第１−１のＨＡＲＱ  ＡＣＫ送信方法
【０１４１】
１つの同じＨＡＲＱ−ＡＣＫタイミングにＮ個の複数のスロットにスケジュールされるＤＬデータＴＢがリンクされる場合、複数のスロットにスケジュールされるＤＬデータＴＢを構成する（最大の）ＣＢＧ全体集合又は（最大の）ＣＢＧ数が同一であるように設定（又は制限）される。
【０１４２】
（最大の）ＣＢＧ数をＭと仮定すると、端末は全（Ｎ×Ｍ）個のＣＢＧに対するＨＡＲＱ−ＡＣＫペイロード（例：各スロットのＤＬデータ送信が１ＴＢ送信である場合、Ｎ×Ｍビット情報で構成される）を構成して送信できる。この時、Ｍの値は端末ごとに異なるように（又はＵＥ−ｇｒｏｕｐ共通に）設定されるか、指定されたＰＵＣＣＨリソース又はＰＵＣＣＨフォーマットによって設定されるか、又はＮ個の複数のスロットの各々にスケジュールされるＣＢＧ数のうち、最大のＣＢＧ数で設定される。また同じＨＡＲＱ−ＡＣＫタイミング又は該当タイミングに対応するバンドリングウィンドウ内でＭの値は同一に設定されることができ、互いに異なるＨＡＲＱ−ＡＣＫタイミング又は該当タイミングに対応するバンドリングウィンドウの間で、Ｍの値は同一の又は異なる値を有することができる。説明の便宜上、以下では１つの同じＨＡＲＱ−ＡＣＫタイミングにＮ個の複数のスロットがリンクされると、Ｎ個のスロットをバンドリングウィンドウと定義する。
【０１４３】
即ち、上述したように、１つのＤＬデータに対応するＨＡＲＱ−ＡＣＫ送信時点は予め設定されたセットのうちの１つの値に決定され、１つの値はＤＬ割り当て（ａｓｓｉｇｎｍｅｎｔ）を含むＤＣＩ（Ｄｏｗｎｌｉｎｋ  Ｃｏｎｔｒｏｌ  Ｉｎｆｏｒｍａｔｉｏｎ）により動的に指示され、特定のスロット内で送信されるＨＡＲＱ−ＡＣＫ情報は、複数のスロット上に送信されるＤＬデータに対応することができる。図１１に示したように、ｓｌｏｔ＃Ｔに送信されるＤＬデータに対応して４つの候補ＨＡＲＱタイミング（例：ｓｌｏｔ＃Ｔ＋６、ｓｌｏｔ＃Ｔ＋７、ｓｌｏｔ＃Ｔ＋８、ｓｌｏｔ＃Ｔ＋９）が上位層シグナリングにより設定され、４つの候補ＨＡＲＱタイミングのうちの１つが動的な指示により指示されることができる。これにより、１つのスロットにより複数のＤＬデータに対応するＨＡＲＱ−ＡＣＫが一緒に送信されることができ、ｓｌｏｔ＃Ｔ＋９でｓｌｏｔ＃Ｔ、ｓｌｏｔ＃Ｔ＋１、ｓｌｏｔ＃Ｔ＋２及びｓｌｏｔ＃Ｔ＋３のうちの１つ以上のスロットで送信されたＤＬデータに対応するＨＡＲＱ−ＡＣＫ情報が送信されることができる。即ち、この場合のＮの値は４である。
【０１４４】
ここで、各スロットごとにＭ個のＣＢＧに対するＨＡＲＱ−ＡＣＫペイロードが構成される。この時、Ｍ個未満のＬ個のＣＢＧが構成又はスケジュールされた場合、残りの（Ｍ−Ｌ）個のＣＢＧに対するＡ／Ｎ情報はＮＡＣＫと処理／マッピングされる規則が設定される。またＮ個のスロットのうち、実際には一部（例：Ｐ個）のスロットのみがスケジュールされる（又はＤＬデータを受信する）。この場合、残りの（Ｎ−Ｐ）個のスロットに対応するＣＢＧ（ｓ）に対するＡ／Ｎ情報は、ＮＡＣＫと処理／マッピングされる規則が設定される。
【０１４５】
図１３は本発明の第１−１のＨＡＲＱ  ＡＣＫ送信方法による動作を簡単に示す図である。
【０１４６】
図１３に示したように、ｓｌｏｔ＃Ｔ＋９に送信されるＨＡＲＱ−ＡＣＫ情報に対応する（最大の）スロット数Ｎが４（即ち、ｓｌｏｔ＃Ｔからｓｌｏｔ＃Ｔ＋３）であり、（最大の）ＣＢＧ数Ｍが４と設定された場合、１６ビットペイロードで構成されたＨＡＲＱ−ＡＣＫ情報はｓｌｏｔ＃Ｔ＋９上で送信されることができる。この時、全てのＣＢＧごとの送信が成功したと仮定する時、ｓｌｏｔ＃Ｔ＋１の最後のＣＢＧ及びｓｌｏｔ＃Ｔ＋２の全てのＣＢＧに対応するＨＡＲＱ−ＡＣＫ情報はＮＡＣＫで構成されることができる。
【０１４７】
なお、全（Ｎ×Ｍ）個のＣＢＧに対するＨＡＲＱ−ＡＣＫペイロードは、１つのＰＵＣＣＨリソースにより送信されることができる。又は各スロットごとにＭ個のＣＢＧに対するＨＡＲＱ−ＡＣＫペイロードは、スロットごとに個別的なＰＵＣＣＨリソースにより送信されることができる。
【０１４８】
３．１．２．第１−２のＨＡＲＱ  ＡＣＫ送信方法
【０１４９】
（第１−１のＨＡＲＱ  ＡＣＫ送信方法が適用された状態で）１つのＨＡＲＱ−ＡＣＫタイミングにリンクされたＮ個のスロットのうち、最大Ｋ個（Ｋ＜Ｎ）のスロットまでについてのみＤＬデータスケジューリングが行われるように制限することができる。
【０１５０】
第１−１のＨＡＲＱ  ＡＣＫ送信方法によって設定されたＣＢＧ数をＭと定義すると、全（Ｋ×Ｍ）個のＣＢＧに対するＨＡＲＱ−ＡＣＫペイロード（例：各スロットごとに１ＴＢ送信である場合、Ｋ×Ｍビット情報であることができる）が構成されて送信されることができる。この時、Ｋの値はＵＥごとに異なるように（又はＵＥ−ｇｒｏｕｐ共通に）設定されるか、又はＨＡＲＱ−ＡＣＫタイミング上に指定されたＰＵＣＣＨリソース又はＰＵＣＣＨフォーマットによって設定される。
【０１５１】
上記のような方法は、上述した第１−１のＨＡＲＱ  ＡＣＫ送信方法に比べてスケジューリング制限（Ｓｃｈｅｄｕｌｉｎｇ  ｒｅｓｔｒｉｃｔｉｏｎ）が適用される反面、ＨＡＲＱ−ＡＣＫペイロードを減らすことができるという長所がある。
【０１５２】
この場合、ＤＬデータをスケジューリングするＤＣＩを端末が受信できなかった場合、端末とｅＮＢ（又はｇＮＢ）の間のＨＡＲＱ−ＡＣＫペイロード及びマッピング方法に対する不一致（ｍｉｓａｌｉｇｎｍｅｎｔ）の問題を解決する方法として、ＤＬ割り当てごとにバンドリングウィンドウ内の現在までにスケジュールされたスロット数、現在までにスケジュールされたＴＢ数（従来、ＬＴＥシステムのｃｏｕｎｔｅｒ  ＤＡＩと類似）、又は現在までにスケジュールされた（最大の）ＣＢＧ数がシグナリングされることができる。
【０１５３】
ここで、各スロットごとにＭ個のＣＢＧに対するＨＡＲＱ−ＡＣＫペイロードが構成されることができる。この時、Ｍ個未満のＬ個のＣＢＧが構成／スケジュールされた場合、残りの（Ｍ−Ｌ）個のＣＢＧに対するＡ／Ｎ情報はＮＡＣＫと処理／マッピングされるように規則が設定される。またＮ個のスロットのうち、実際には一部（例：Ｐ個）のスロットのみがスケジュールされることができる（又はＤＬデータを受信できる）。この場合、残りの（Ｎ−Ｐ）個のスロットに対応するＣＢＧ（ｓ）に対するＡ／Ｎ情報はＮＡＣＫと処理／マッピングされる規則が設定される。
【０１５４】
図１４は本発明の第１−２のＨＡＲＱ  ＡＣＫ送信方法による動作を簡単に示す図である。
【０１５５】
図１４に示したように、ｓｌｏｔ＃Ｔ＋９に送信されるＨＡＲＱ−ＡＣＫ情報に対応する（最大の）スロット数Ｋが３つ（即ち、ｓｌｏｔ＃Ｔからｓｌｏｔ＃Ｔ＋３のうち３つ）に制限され、（最大の）ＣＢＧ数Ｍが４つと設定された場合、１２ビットペイロードで構成されたＨＡＲＱ−ＡＣＫ情報がｓｌｏｔ＃Ｔ＋９上で送信されることができる。
【０１５６】
この時、全てのＣＢＧごとの受信が成功すると仮定する時、ｓｌｏｔ＃Ｔ＋１の最後のＣＢＧに対応するＨＡＲＱ−ＡＣＫ情報はＮＡＣＫと処理／マッピングされることができる。
【０１５７】
又は、ｓｌｏｔ＃Ｔ＋１に送信されるＤＬデータをスケジューリングするＤＬ割り当てを受信できなかった場合、端末はｓｌｏｔ＃Ｔ＋３に送信されるＤＬデータをスケジューリングするＤＬ割り当て上にＤＡＩ（Ｄｏｗｎｌｉｎｋ  Ａｓｓｉｇｎｍｅｎｔ  Ｉｎｄｉｃａｔｏｒ）値が３と指示されることにより、ＤＡＩの値が２に対応するＤＬ割り当てが受信されないことを（ｍｉｓｓｉｎｇ）認知することができる。これにより、端末は５〜８番目のＨＡＲＱ−ＡＣＫ情報を全てＮＡＣＫと処理／マッピングすることができる。
【０１５８】
ここで、ＤＡＩの値は、上述した例示のように現在までスケジュールされたスロット数又はＴＢ数を指示するか、又は現在までスケジュールされた（最大の）ＣＢＧ数（例：ｓｌｏｔ＃Ｔには４、ｓｌｏｔ＃Ｔ＋１には８、ｓｌｏｔ＃Ｔ＋２には１２）を指示することができる。
【０１５９】
一方、全（Ｋ×Ｍ）個のＣＢＧに対するＨＡＲＱ−ＡＣＫフィードバックが１つのＰＵＣＣＨリソースにより送信されるか（Ｏｐｔ  １）、各スロットごとにＭ個のＣＢＧに対するＨＡＲＱ−ＡＣＫフィードバックが個別的なＰＵＣＣＨリソースにより送信されることができる（Ｏｐｔ  ２）。
【０１６０】
Ｏｐｔ  １の場合、ＤＬ割り当てごとにバンドリングウィンドウ内の現在までにスケジュールされたスロット数、ＴＢ数（従来、ＬＴＥシステムのｃｏｕｎｔｅｒ  ＤＡＩと類似）、又は（最大の）ＣＢＧ数がシグナリングされることが必要である。但し、Ｏｐｔ  ２の場合は、上記のようなシグナリングは不要である。
【０１６１】
かかる方法は、ＣＢＧ単位スケジューリングである場合だけではなく、一般ＴＢ単位のスケジューリングである場合にも（例えば、ＵＣＩペイロードサイズの縮小及びこれによるＵＬカバレッジ確保のために）適用可能である。
【０１６２】
３．１．３．第１−３のＨＡＲＱ  ＡＣＫ送信方法
【０１６３】
（別のスロットごとのＣＢＧ数に制限がない状態で）基地局はＤＣＩによりＣＢＧレベルのｃｏｕｎｔｅｒ  ＤＡＩ（Ｃ−ＤＡＩ）とｔｏｔａｌ  ＤＡＩ（Ｔ−ＤＡＩ）をシグナリングし、端末は受信されたＤＡＩに基づいてＨＡＲＱ−ＡＣＫペイロード（サイズ）を構成して送信することができる。
【０１６４】
ここで、Ｃ−ＤＡＩはバンドリングウィンドウ内の以前まで（又は現在まで）に送信されたＣＢＧ数を意味し、Ｔ−ＤＡＩはバンドリングウィンドウ内の送信された又は送信されるＣＢＧ数の総数を意味する。従って、端末はＣ−ＤＡＩの値によりＨＡＲＱ−ＡＣＫペイロード上の各スロットに対応するＨＡＲＱ−ＡＣＫ情報の位置を決定し、Ｔ−ＤＡＩの値により全ＨＡＲＱ−ＡＣＫペイロードサイズを決定することができる。
【０１６５】
このような方法はＤＣＩオーバーヘッドを増加させるが、ＨＡＲＱ−ＡＣＫペイロードサイズを適応的に変更できるという長所がある。
【０１６６】
図１５は本発明の第１−３のＨＡＲＱ  ＡＣＫ送信方法による動作を簡単に示す図である。
【０１６７】
図１５では、バンドリングウィンドウが４スロットであり、全てのＣＢＧの受信が成功した状況を仮定する。この時、端末はＴ−ＤＡＩ情報により全ＨＡＲＱ−ＡＣＫペイロードサイズが１１ビットであることを分かり、各Ｃ−ＤＡＩの値により１１ビットを構成する順序を認知することができる。
【０１６８】
もし端末がｓｌｏｔ＃Ｔ＋１で送信されるＤＬデータをスケジューリングするＤＬ割り当てを受信できなかった場合（ｍｉｓｓｉｎｇ）、端末はｓｌｏｔ＃Ｔ＋３で送信されるＤＬデータをスケジューリングするＤＬ割り当て上に７と指示されたＣ−ＤＡＩの値により中間３つのＣＢＧをスケジューリングするＤＬ割り当てを受信できなかったことを認知することができる。よって、端末は５〜７番目のＨＡＲＱ−ＡＣＫ情報を全てＮＡＣＫと処理／マッピングすることができる。
【０１６９】
ここで、Ｃ−ＤＡＩの値は上述したように、バンドリングウィンドウ内における以前までに送信されたＣＢＧ数を意味するか、バンドリングウィンドウ内における現在までに（例：ｓｌｏｔ＃Ｔ上のＣ−ＤＡＩは４、ｓｌｏｔ＃Ｔ＋１上のＣ−ＤＡＩは７、ｓｌｏｔ＃Ｔ＋２上のＣ−ＤＡＩは１１）送信されたＣＢＧ数を意味する。
【０１７０】
３．１．４．第１−４のＨＡＲＱ  ＡＣＫ送信方法
【０１７１】
（別のスロットごとのＣＢＧ数に制限がない状態で）基地局は最大のＨＡＲＱ−ＡＣＫペイロードサイズが設定された状態で常に該当サイズのＨＡＲＱ−ＡＣＫフィードバックを構成するように設定され、ＤＣＩによりＣＢＧレベルのＤＡＩのみをシグナリングすることができる。
【０１７２】
このような方法は、最大ＨＡＲＱ−ＡＣＫペイロードサイズを固定させる反面、各ＴＢごとのＣＢＧサイズを自由に設定できるという長所がある。
【０１７３】
この時、端末がＤＬデータをスケジューリングするＤＣＩを受信できなくて発生する端末とｅＮＢ（又はｇＮＢ）の間のＨＡＲＱ−ＡＣＫペイロード及びマッピング方法に関する不一致（ｍｉｓａｌｉｇｎｍｅｎｔ）を解決するために、基地局はＤＬ割り当てごとにバンドリングウィンドウ内における現在までスケジュールされた（最大の）ＣＢＧ数をシグナリングすることができる。この時、最大のＨＡＲＱ−ＡＣＫペイロードサイズより小さい数のＣＢＧが構成／スケジュールされた場合、残りのＣＢＧに対するＡ／Ｎ情報はＮＡＣＫと処理／マッピングされるように規定される。
【０１７４】
図１６は本発明の第１−４のＨＡＲＱ  ＡＣＫ送信方法による動作を簡単に示す図である。
【０１７５】
図１６ではバンドリングウィンドウが４スロットであり、最大のＨＡＲＱ−ＡＣＫペイロードサイズは１２ビットと設定され、端末が全てのＣＢＧの受信に成功した状況を仮定する。
【０１７６】
この時、端末はＤＣＩ内の各ＤＡＩの値により１２ビットを構成する順序を認知することができる。またバンドリングウィンドウ内の最後のＤＬデータをスケジューリングするＤＣＩ内のＤＡＩの値が９であるので、端末は残りの３ビット情報をＮＡＣＫと処理／マッピングすることができる。
【０１７７】
もし端末がｓｌｏｔ＃Ｔ＋１で送信されるＤＬデータをスケジューリングするＤＬ割り当てを受信できなかった場合、端末はｓｌｏｔ＃Ｔ＋３で送信されるＤＬデータをスケジューリングするＤＬ割り当て上に９と指示されたＤＡＩの値により中間２つのＣＢＧをスケジューリングするＤＬ割り当てを受信できなかったことを認知することができる。よって、端末は５〜６番目のＨＡＲＱ−ＡＣＫ情報を全てＮＡＣＫと処理／マッピングすることができる。
【０１７８】
ここで、ＤＡＩの値は上述したように、バンドリングウィンドウ内における現在までに送信されたＣＢＧ数を意味するか、バンドリングウィンドウ内における以前に（例：ｓｌｏｔ＃Ｔ上のＣ−ＤＡＩは０、ｓｌｏｔ＃Ｔ＋１上のＣ−ＤＡＩは４、ｓｌｏｔ＃Ｔ＋２上のＣ−ＤＡＩは６）送信されたＣＢＧ数を意味する。
【０１７９】
上述した第１−１乃至第１−４のＨＡＲＱ  ＡＣＫ送信方法における‘スロット’は、ＣＡ状況における各ＣＣに代替することができる。
【０１８０】
また上述した第１−２乃至第１−４のＨＡＲＱ  ＡＣＫ送信方法において、ＤＡＩ（又はＣ−ＤＡＩ又はＴ−ＤＡＩ）値をＤＣＩ内にシグナリングする動作は、シグナリングオーバーヘッドを考慮して特定の値（例：１６）にモジューロ（ｍｏｄｕｌｏ）演算を適用した値が指示される動作と設定されることができる。
【０１８１】
３．２．ＭＩＭＯによる多重ＴＢ送信状況におけるＣＢＧ基盤のスケジューリング及びＨＡＲＱの動作方法
【０１８２】
３．２．１．第２−１の方法
【０１８３】
もしＤＣＩによりスケジュールされるＤＬデータ又はＵＬデータがＴＢ基盤の（最初の）送信であるかＣＢＧ基盤の（再）送信であるかをシグナリングする場合、最初であるか又は再送信であるかはＴＢごとに別に指示されるか（Ｏｐｔ  Ａ）、又はＴＢ共通に指示されることができる（Ｏｐｔ  Ｂ）。
【０１８４】
一例として、基地局がＤＣＩによりＤＬデータ又はＵＬデータがＴＢ基盤の（最初の）送信であるか又はＣＢＧ基盤の（再）送信であるかをシグナリングできると仮定する。  
【０１８５】
この場合、Ｏｐｔ  Ａによれば、ＤＣＩはスケジュールされるＴＢ数ほどの指示子を含むことができる。又はＤＣＩについてＴＢ基盤の（最初の）送信であるか又はＣＢＧ基盤の（再）送信であるかをシグナリングするＣＲＣ（Ｃｙｃｌｉｃ  Ｒｅｄｕｎｄａｎｃｙ  Ｃｈｅｃｋ）マスクが導入される場合、各ＴＢごとにＴＢ基盤の（最初の）送信であるか又はＣＢＧ基盤の（再）送信であるかによる組み合わせによって互いに異なるＣＲＣマスクが定義されて適用されることができる。
【０１８６】
３．２．２．第２−２の方法
【０１８７】
ＤＣＩによりスケジュールされるＤＬデータ又はＵＬデータが２ＴＢで（又はそれ以上に）構成される場合、ＣＢＧ数はＴＢごとに同一に設定されるか（Ａｌｔ  １）、又はＴＢごとに異なるように設定されることが許容される（Ａｌｔ  ２）。
【０１８８】
Ａｌｔ  ２の場合又はＴＢ（又はコードワード（ｃｏｄｅｗｏｒｄ、ＣＷ））ごとに異なる数のＣＢＧに対応するＤＬデータを受信した場合、ＨＡＲＱ−ＡＣＫペイロードサイズが制限されると、コードワードバンドリングを行う必要がある。
【０１８９】
この時、端末はＴＢごとに設定されたＣＢＧ数のうち、最大値をＨＡＲＱ−ＡＣＫペイロードサイズとして算定し、算定されたＨＡＲＱ−ＡＣＫペイロードサイズより小さいＣＢＧ数が設定されたＴＢについて、｛（ＨＡＲＱ−ＡＣＫペイロード）−（設定されたＣＢＧ数）｝ほどを全てＡＣＫと処理／マッピングするか、又は該当ＴＢに対するＣＢＧ構成を再配置して算定されたＨＡＲＱ−ＡＣＫペイロードをＴＢごとに一致させた後、コードワードバンドリングを行うことができる。
【０１９０】
一例として、ＴＢ♯１を構成するＣＢＧ数は５つ、ＴＢ♯２を構成するＣＢＧ数は３つである場合、端末はコードワードバンドリングを行う時、最大のＣＢＧ数である５に合わせて５ビットＨＡＲＱ−ＡＣＫペイロードを構成し、最初の３ビットをＴＢ♯１とＴＢ♯２のＨＡＲＱ−ＡＣＫ情報の間の‘ａｎｄ’又は‘ｏｒ’演算を適用して構成し、最後の２ビットをＴＢ♯１のＨＡＲＱ−ＡＣＫ情報のみで構成することができる。又はＴＢ♯２のＣＢＧ数も５つで再配置して、５ビット全体をＴＢ♯１とＴＢ♯２のＨＡＲＱ−ＡＣＫ情報の間の‘ａｎｄ’又は‘ｏｒ’演算を適用して構成することができる。
【０１９１】
このような方法は多数のスロット及び／又はＣＣ上のＴＢに対するバンドリングを行う時、各ＴＢを構成するＣＢＧ数が異なる場合にも同様に適用できる。
【０１９２】
また上記方法と上述した第１−２乃至第１−４のＨＡＲＱ  ＡＣＫ送信方法が組み合わせられると、ＤＡＩ（又はＣ−ＤＡＩ又はＴ−ＤＡＩ）値はＣＢＧ情報を含むことができる。この時、ＭＩＭＯ状況で複数のＴＢが送信される場合、該当ＣＢＧ情報は複数のＴＢのうち、ＣＢＧ数の最大値又は複数のＴＢに送信されるＣＢＧ数の和に対応する情報が適用されることができる。
【０１９３】
３．２．３．第２−３の方法
【０１９４】
ＤＣＩによりスケジュールされるＤＬデータ又はＵＬデータが２ＴＢで（又はそれ以上に）構成される場合、特定のＴＢ（ｓ）は最初の送信スケジュールされたＴＢであり、他のＴＢ（ｓ）は再送信スケジュールされたＴＢである。
【０１９５】
複数のＴＢをスケジューリングしてもＤＣＩオーバーヘッドを考慮してリソース割り当てがＴＢ共通に適用されると仮定する場合、該当リソース割り当ての解釈方法及び／又はＴＢ送信方法が変更されることができる。
【０１９６】
一例として、ＴＢ再送信である場合、一部のＣＢＧについてのみ再送信はＴＢ最初の送信より非常に小さいリソースのみでも具体的に実現可能である。この時、ＣＢＧ再送信が行われるＴＢを基準としてリソース割り当て方法が決定される。より具体的には、ＣＢＧ再送信である場合、予め決められた規則により又はＤＣＩフィールドを再解釈することにより、ＴＢ最初の送信である場合より非常に少ないＲＥ数が送信可能なリソースとして割り当てられる。この時、同時送信される最初の送信ＴＢは該当リソースのみで非常に大きい符号化率（ｃｏｄｉｎｇ  ｒａｔｅ）で送信される。
【０１９７】
他の例として、ＴＢ最初の送信の効率を増大させるために、最初の送信が行われるＴＢ基準でリソース割り当て方法が決定される。この時、再送信が行われるＴＢは符号化率が大幅に低くなって送信される。ＣＢＧ再送信の場合、予め決められた規則によりＤＣＩフィールドを再解釈する方法が導入されても、一部ＴＢ最初の送信が存在すると、例外的にＤＣＩ上のリソース割り当てを再解釈しないように設定される。
【０１９８】
３．２．４．第２−４の方法
【０１９９】
ＤＬデータ又はＵＬデータについてＣＢＧ（再）送信が設定される場合、ＤＬデータ又はＵＬデータをスケジューリングするＤＣＩは、ＴＢのうちの一部のＣＢＧに対する（再）送信をスケジューリングし、実際どのＣＢＧが送信されるかをシグナリングすることができる。
【０２００】
一例として、１つのＣＷ（又はＴＢ）について最大５つまでＣＢＧが構成されると設定された端末に対してＤＬデータ又はＵＬデータをスケジューリングするにおいて、基地局はＤＣＩ上の特定のフィールドにより５つのＣＢＧのうち、実際に送信されるＣＢＧのインデックス（例：５ビットのビットマップにより）をシグナリングすることができる。
【０２０１】
この時、ＤＣＩ内において実際に送信されるＣＢＧを指示する特定のフィールドをＣＢＧＴＩ（ＣＢＧ  ｔｒａｎｓｍｉｓｓｉｏｎ  ｉｎｄｉｃａｔｏｒ）と呼ぶ。もしＤＬデータ又はＵＬデータの２ＣＷ（又は２ＴＢ）送信が設定された場合、ＣＢＧＴＩはＣＷ（又はＴＢ）ごとに区分されてスケジューリングＤＣＩ上に設定される。
【０２０２】
端末のカバレッジ状態などを考慮してＵＣＩ情報の信頼度（ｒｅｌｉａｂｉｌｉｔｙ）を増大させるために、ＨＡＲＱ−ＡＣＫバンドリングが設定されることができる。一例として、空間ドメインバンドリング（Ｓｐａｔｉａｌ  ｄｏｍａｉｎ  ｂｕｎｄｌｉｎｇ）（又はｃｏｄｅｗｏｒｄ  ｂｕｎｄｌｉｎｇ）が設定されることができる。
【０２０３】
この場合、ＤＬデータ又はＵＬデータの２ＣＷ（又は２ＴＢ）送信が設定されても、ＣＢＧＴＩはＣＷ（又はＴＢ）ごとにスケジューリングＤＣＩ上に設定されず、１つのＣＢＧＴＩのみが設定される。この時、１つのＣＢＧＴＩで指示されたＣＢＧインデックスは２ＣＷ（又は２ＴＢ）上に全て適用されることができる。
【０２０４】
一例として、特定の端末が１つのＣＷ（又はＴＢ）について最大５つまでＣＢＧが構成できることが設定され、ＤＬデータの２ＣＷ（又は２ＴＢ）送信及び空間ドメインのバンドリング（又はｃｏｄｅｗｏｒｄ  ｂｕｎｄｌｉｎｇ）が設定されたと仮定する。
【０２０５】
この時、２ＣＷ（又はＴＢ）に対するＤＬデータ初期送信を受信した端末は、空間ドメインバンドリング（同一のＣＢＧインデックスごとにＨＡＲＱ−ＡＣＫ情報のｌｏｇｉｃａｌ  ＡＮＤ演算）を行って‘０１１００’（０はＮＡＣＫ、１はＡＣＫであることができる）に該当するＨＡＲＱ−ＡＣＫ情報をフィードバックすることができる。これに対応する再送信を指示するＤＬデータスケジューリングＤＣＩ上のＣＢＧＴＩは１つのみが設定される。この時、ＣＢＧＴＩは‘０１１００’のビットマップ情報で構成される。これを受信した端末は２ＣＷ（又は２ＴＢ）の全てについて２番目及び３番目のＣＢＧに対応するＤＬデータが送信されたことを認知することができる。
【０２０６】
図１７は本発明の一例による端末の確認応答情報送信方法を示す流れ図である。
【０２０７】
まず端末は１つ以上のスロットでデータを受信する（Ｓ１７１０）。一例として、図１３乃至図１６に示したように、端末はｓｌｏｔ＃Ｔ、ｓｌｏｔ＃Ｔ＋１、ｓｌｏｔ＃Ｔ＋３でデータを受信することができる。
【０２０８】
次いで、端末は第１スロット（例：ｓｌｏｔ＃Ｔ＋９）で送信する確認応答情報として１つ以上のスロットで受信されたデータに含まれたコードブロックグループ（Ｃｏｄｅ  Ｂｌｏｃｋ  Ｇｒｏｕｐ；ＣＢＧ）ごとの確認応答情報を生成し、第１スロット（例：ｓｌｏｔ＃Ｔ＋９）で生成された確認応答情報を送信する（Ｓ１７２０）。
【０２０９】
この時、図１３乃至図１６に示したように、第１スロットで送信される確認応答情報は様々に構成できる。
【０２１０】
図１３によれば、確認応答情報は、第１スロットにおける確認応答情報の送信タイミングに連動する最大のスロット数（Ｎ）及び１つのスロットに対する最大のコードブロックグループ（Ｃｏｄｅ  Ｂｌｏｃｋ  Ｇｒｏｕｐ；ＣＢＧ）数（Ｍ）に基づいて決定される第１ビットサイズ（例：Ｎ＊Ｍ）を有するように構成される。
【０２１１】
この時、Ｎ＊Ｍビットサイズの確認応答情報は、Ｎ個のスロットごとのＭ個のＣＢＧに対するビット情報で構成される。よって、Ｎ個のスロットのうち、特定のスロットでデータがスケジュールされないか、又はデータが受信されなかった場合、特定のスロットに対するスロットのＭ個のビット情報はいずれもＮＡＣＫ（Ｎｏｎ−Ａｃｋｎｏｗｌｅｄｇｅｍｅｎｔ）と設定される。またＮ個のスロットのうち、特定のスロットでデータが受信されるが、受信されたＣＢＧ数がＭ個未満である場合は、特定のスロットに対するＭ個のビット情報のうち、対応するＣＢＧがないビット情報はいずれもＮＡＣＫと設定される。
【０２１２】
より具体的には、図１３において、ｓｌｏｔ＃Ｔ＋２で受信されるデータがないので（又は基地局によりスケジュールされたデータがないので）、該当ｓｌｏｔ＃Ｔ＋２に対応する４つのビット情報はいずれもＮＡＣＫと設定される。
【０２１３】
またｓｌｏｔ＃Ｔ＋１で受信されたデータは３つのＣＢＧで構成されるので、残りの１つのビット情報はＮＡＣＫと設定される。
【０２１４】
この時、図１３などのようにＮの値は４と設定される。但し、これは一例に過ぎず、Ｎの値は基地局の設定などにより変更可能である。
【０２１５】
図１４によれば、確認応答情報は、第１スロットにおける確認応答情報に対して設定されたスロット数（Ｋ）及び１つのスロットに対する最大のＣＢＧ数（Ｍ）に基づいて決定される第２ビットサイズ（例：Ｋ＊Ｍ）を有するように構成される。
【０２１６】
この時、Ｋ＊Ｍビットサイズの確認応答情報は、Ｋ個のスロットごとのＭ個のＣＢＧに対するビット情報で構成される。この時、１つ以上のスロットで受信された下りリンク割り当てインデックス（Ｄｏｗｎｌｉｎｋ  Ａｓｓｉｇｎｍｅｎｔ  Ｉｎｄｅｘ；ＤＡＩ）値に基づいて、Ｋ個のスロットのうち、特定のスロットでデータがスケジュールされないか、又はデータが受信されなかった場合は、特定のスロットに対するスロットのＭ個のビット情報はいずれもＮＡＣＫと設定され、Ｋ個のスロットのうち、特定のスロットでデータが受信されるが、受信されたＣＢＧ数がＭ個未満である場合は、特定のスロットに対するＭ個のビット情報のうち、対応するＣＢＧがないビット情報はいずれもＮＡＣＫと設定される。
【０２１７】
この時、１つ以上のスロットで受信される各ＤＡＩは、時間ドメインで対応するスロットまで第１スロットにおける確認応答情報に対してスケジュールされたスロット数を指示することができる。
【０２１８】
より具体的には、図１４では、ｓｌｏｔ＃Ｔ＋１でデータが正常に受信される場合を仮定したが、場合によっては端末はｓｌｏｔ＃Ｔ＋１でＤＡＩ＝２を支持する情報及びこれに対応するデータを受信できないことがある。この時、端末はｓｌｏｔ＃Ｔ＋３でＤＡＩ＝３を指示する情報を受信することにより、ＤＡＩ＝２に対応するデータが受信されなかったことを認知できる。
【０２１９】
またｓｌｏｔ  ＃Ｔ＋１で受信されたデータは３つのＣＢＧで構成されるので、残りの１つのビット情報はＮＡＣＫと設定される。
【０２２０】
この時、Ｋの値はＮより小さい値（例：３）と設定される。
【０２２１】
上記構成において、Ｍの値は端末特定に設定されるか、又は端末が含まれたグループ共通に設定される。
【０２２２】
図１５によれば、確認応答情報は、１つ以上のスロットで送信された全ＣＢＧ数（Ｘ）に基づいて決定される第３ビットサイズ（例：Ｘ）を有するように構成される。
【０２２３】
この時、Ｘ値は１つ以上のスロットで受信された全下りリンク割り当てインデックス（Ｔｏｔａｌ  Ｄｏｗｎｌｉｎｋ  Ａｓｓｉｇｎｍｅｎｔ  Ｉｎｄｅｘ；Ｔ−ＤＡＩ）値に基づいて決定され、１つ以上のスロットで受信される各カウンターＤＡＩ（ｃｏｕｎｔｅｒ  ＤＡＩ；Ｃ−ＤＡＩ）値に基づいて、Ｘビットサイズの確認応答情報のうち、対応するＣＢＧが受信されないビット情報はＮＡＣＫと設定される。
【０２２４】
図１６の例示によれば、確認応答情報は、第１スロットにおける確認応答情報に対して設定されたスロット数（Ｋ）及び１つ以上のスロットのうちの１つで送信された最大ＣＢＧ数（Ｙ）に基づいて決定される第４ビットサイズ（例：Ｋ＊Ｙ）を有するように構成される。
【０２２５】
この時、１つ以上のスロットのうち、最後のスロットで受信された下りリンク割り当てインデックス（Ｄｏｗｎｌｉｎｋ  Ａｓｓｉｇｎｍｅｎｔ  Ｉｎｄｅｘ；ＤＡＩ）値に基づいて、Ｋ＊Ｙビットサイズの確認応答情報のうち、対応するＣＢＧが存在しないビット情報はＮＡＣＫ（Ｎｏｎ−Ａｃｋｎｏｗｌｅｄｇｅｍｅｎｔ）と設定される。
【０２２６】
上述した提案方式に対する一例も本発明の具体的な実現方法の１つとして含まれてもよく、一種の提案方式と見なし得ることは明白な事実である。また、上述した提案方式は独立して具体的に実現されてもよく、一部の提案方式の組合せ（又は、併合）の形態で具体的に実現されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０２２７】
４．装置構成
【０２２８】
図１８は提案する実施例を具体的に実現できる端末及び基地局の構成を示す図である。図１８に示した端末及び基地局は、上述した端末と基地局の間の確認応答情報の送受信方法の実施例を具体的に実現するように動作する。
【０２２９】
端末（ＵＥ：Ｕｓｅｒ  Ｅｑｕｉｐｍｅｎｔ）１は、上りリンクでは送信端として動作し、下りリンクでは受信端として動作することができる。また、基地局（ｅＮＢ又はｇＮＢ）１００は、上りリンクでは受信端として動作し、下りリンクでは送信端として動作することができる。
【０２３０】
即ち、端末及び基地局は、情報、データ及び／又はメッセージの送信及び受信を制御するためにそれぞれ、送信器（Ｔｒａｎｓｍｉｔｔｅｒ）１０，１１０及び受信器（Ｒｅｃｅｉｖｅｒ）２０，１２０を含むことができ、情報、データ及び／又はメッセージを送受信するためのアンテナ３０，１３０などを含むことができる。
【０２３１】
また、端末及び基地局はそれぞれ、上述した本発明の実施例を行うためのプロセッサ（Ｐｒｏｃｅｓｓｏｒ）４０，１４０、及びプロセッサの処理過程を臨時的に又は持続的に記憶できるメモリ５０，１５０を含むことができる。
【０２３２】
このように構成された端末１は、受信器２０で１つ以上のスロットでデータを受信する。次いで、端末１はプロセッサ４０により第１スロットで送信する確認応答情報として１つ以上のスロットで受信されたデータに含まれたコードブロックグループ（Ｃｏｄｅ  Ｂｌｏｃｋ  Ｇｒｏｕｐ；ＣＢＧ）ごとの確認応答情報を生成する。次いで、端末１は送信器１０で第１スロットで生成された確認応答情報を送信する。
【０２３３】
この時、確認応答情報は、場合によって以下のような様々なビットサイズで構成される。
【０２３４】
−第１スロットにおける確認応答情報の送信タイミングに連動する最大のスロット数（Ｎ）及び１つのスロットに対する最大のコードブロックグループ（Ｃｏｄｅ  Ｂｌｏｃｋ  Ｇｒｏｕｐ；ＣＢＧ）数（Ｍ）に基づいて決定される第１ビットサイズ
【０２３５】
−第１スロットにおける確認応答情報に対して設定されたスロット数（Ｋ）及び１つのスロットに対する最大のＣＢＧ数（Ｍ）に基づいて決定される第２ビットサイズ
【０２３６】
−１つ以上のスロットで送信された全ＣＢＧ数（Ｘ）に基づいて決定される第３ビットサイズ
【０２３７】
−第１スロットにおける確認応答情報に対して設定されたスロット数（Ｋ）及び１つ以上のスロットのうちの１つのスロットで送信された最大のＣＢＧ数（Ｙ）に基づいて決定される第４ビットサイズ
【０２３８】
端末及び基地局に含まれた送信器及び受信器は、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を有することができる。また、図１８の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）ユニットをさらに含むことができる。
【０２３９】
一方、本発明において端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートＰＣ、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０２４０】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）のいずれにおいても作動し得る端末機のことを指す。
【０２４１】
本発明の実施例は、様々な手段によって具体的に実現することができる。例えば、本発明の実施例は、ハードウェア、ファームウェア（ｆｉｒｍｗａｒｅ）、ソフトウェア、又はそれらの結合などによって具体的に実現することができる。
【０２４２】
ハードウェアによる具体的な実現の場合、本発明の実施例による方法は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具体的に実現することができる。
【０２４３】
ファームウェアやソフトウェアによる具体的な実現の場合、本発明の実施例による方法は、以上で説明した機能又は動作を行うモジュール、手順又は関数などの形態として具体的に実現することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０２４４】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０２４５】
本発明の実施例は、様々な無線アクセスシステムに適用することができる。様々な無線アクセスシステムの一例として３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は、上記様々な無線アクセスシステムの他、上記様々な無線アクセスシステムを応用した全ての技術分野にも適用することができる。さらに、提案した方法は、超高周波帯域を利用するｍｍＷａｖｅ通信システムにも適用することができる。
【図１】
0006928091.tif 000013
【図２】
0006928091.tif 000014
【図３】
0006928091.tif 000015
【図４】
0006928091.tif 000016
【図５】
0006928091.tif 000017
【図６】
0006928091.tif 000018
【図７】
0006928091.tif 000019
【図８】
0006928091.tif 000020
【図９】
0006928091.tif 000021
【図１０】
0006928091.tif 000022
【図１１】
0006928091.tif 000023
【図１２】
0006928091.tif 000024
【図１３】
0006928091.tif 000025
【図１４】
0006928091.tif 000026
【図１５】
0006928091.tif 000027
【図１６】
0006928091.tif 000028
【図１７】
0006928091.tif 000029
【図１８】
0006928091.tif 000030